(57)【要約】【課題】アドレスドライバＩＣを動作させる各信号の配線長をすべて同配線長にすることにより、少なくとも１つのアドレスドライバＩＣの位相調整を行うことで残りすべてのアドレスドライバＩＣを正常に動作させることができるようにすることを目的とする。【解決手段】プラズマディスプレイパネルのアドレス電極に映像信号に応じた所定の信号電圧を供給する複数個のアドレスドライバＩＣ３１と、このアドレスドライバＩＣ３１を動作させる信号を出力する制御回路ブロック２３とを有し、複数個のアドレスドライバＩＣ３１と制御回路ブロック２３とをそれぞれ結ぶ複数の伝送経路３２のトータル配線長をほぼ同じ配線長とした。【選択図】図５
2005070600.tif 000002
【特許請求の範囲】
【請求項１】
プラズマディスプレイパネルのアドレス電極に映像信号に応じた所定の信号電圧を供給する複数個のアドレスドライバＩＣと、このアドレスドライバＩＣを動作させる信号を出力する制御回路とを有し、複数個のアドレスドライバＩＣと制御回路とをそれぞれ結ぶ複数の伝送経路のトータル配線長をほぼ同じ配線長としたことを特徴とするプラズマディスプレイ装置。
【請求項２】
複数個のアドレスドライバＩＣと制御回路とをそれぞれ結ぶ複数の伝送経路をプリント配線板上で形成し、そのプリント配線板におけるトータル配線長をほぼ同じ配線長としたことを特徴とする請求項１記載のプラズマディスプレイ装置。
【請求項３】
伝送経路に蛇行形状パターンを用いることを特徴とする請求項１記載のプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
このようなプラズマディスプレイ装置においては、透明な一対のガラス基板を間に放電空間が形成されるように対向配置するとともにガラス基板に電極群を配置したプラズマディスプレイパネル（以下パネルという）と、このパネルを保持するシャーシ部材と、このシャーシ部材に取り付けられ前記パネルに信号を印加して表示を行う表示駆動回路ブロックとでパネルモジュールを構成し、このパネルモジュールを筐体で覆うことにより完成品としている（特許文献１参照）。
【０００５】
プラズマディスプレイ装置は、年々大型化の傾向にある反面、コストの関係から使用するプリント配線板サイズの縮小化が重要視されている。そのため、プラズマディスプレイパネルのアドレス電極に映像信号に応じた所定の信号電圧を供給するアドレスドライバＩＣを動作させるのに必要なクロック信号、映像信号、水平同期信号、垂直同期信号等の各制御信号を出力する画像表示用のＬＳＩ等の制御回路からの伝送経路は数十ｃｍにも及ぶ。この場合、最短部に配置されたアドレスドライバＩＣと最長部に配置されたアドレスドライバＩＣとの伝送経路の差も、長いものでは数十ｃｍにも及ぶ。これらすべてのアドレスドライバＩＣを正常に動作させるためには、クロック信号とその他の各信号との位相関係を個別に調整する必要があり、最適な設定を行なうためには大幅な時間を要してしまっていた。
【特許文献１】特許第２８０７６７２号公報
【発明の開示】
【発明が解決しようとする課題】
【０００６】
本発明は、このような現状に鑑みなされたもので、少なくとも１つのアドレスドライバＩＣの位相調整を行うことで、残りすべてのアドレスドライバＩＣを正常に動作させることができるようにすることを目的とする。
【課題を解決するための手段】
【０００７】
上記目的を達成するために、本発明によるプラズマディスプレイ装置は、プラズマディスプレイパネルのアドレス電極に映像信号に応じた所定の信号電圧を供給する複数個のアドレスドライバＩＣと、このアドレスドライバＩＣを動作させる信号を出力する制御回路とをそれぞれ結ぶ複数の伝送経路において、トータル配線長をほぼ同じ配線長としたものである。
【発明の効果】
【０００８】
本発明によれば、プラズマディスプレイ装置のような長配線を要する駆動信号を伝送する場合においても、少なくとも１つのアドレスドライバＩＣについて各信号の位相調整を行い前記アドレスドライバＩＣを正常に動作させれば、その他すべてのアドレスドライバＩＣを正常に動作させることができる。これにより、プラズマディスプレイ装置の設計・開発を行う上で、時間の短縮化が図れ効率の良い設計を行うことができる。
【発明を実施するための最良の形態】
【０００９】
すなわち、本発明は、プラズマディスプレイパネルのアドレス電極に映像信号に応じた所定の信号電圧を供給する複数個のアドレスドライバＩＣと、このアドレスドライバＩＣを動作させる信号を出力する制御回路とを有し、複数個のアドレスドライバＩＣと制御回路とをそれぞれ結ぶ複数の伝送経路のトータル配線長をほぼ同じ配線長としたものである。また、複数個のアドレスドライバＩＣと制御回路とをそれぞれ結ぶ複数の伝送経路をプリント配線板上で形成し、そのプリント配線板におけるトータル配線長をほぼ同じ配線長としたものである。さらに、伝送経路に蛇行形状パターンを用いるものである。
【００１０】
以下、本発明の一実施の形態によるプラズマディスプレイ装置について、図１〜図５を用いて説明するが、本発明の実施の態様はこれに限定されるものではない。
【００１１】
まず、プラズマディスプレイ装置におけるプラズマディスプレイパネルの構造について図１を用いて説明する。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１２】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【００１３】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１４】
図２にこのプラズマディスプレイパネルの電極配列を示しており、図２に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【００１５】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１６】
図３に上記で説明した構造のパネルを組み込んだプラズマディスプレイ本体の全体構成の一例を示している。図において、パネル１０を収容する筐体は、前面枠１１と金属製のバックカバー１２とから構成され、前面枠１１の開口部には光学フィルターおよびパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【００１７】
前記パネル１０は、アルミニウム等からなるシャーシ部材１４の前面に熱伝導シート１５を介して接着することにより保持され、そしてシャーシ部材１４の後面側には、パネル１０を表示駆動させるための複数の回路ブロック１６が取り付けられている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００１８】
また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンを固定して構成してもよい。
【００１９】
図４はこのような構成のプラズマディスプレイ装置において、バックカバー１２を外して内部の配置構造を示す平面図であり、図４においてスキャンドライバ回路ブロック２０はパネル１０のスキャン電極に所定の信号電圧を供給し、サステインドライバ回路ブロック２１はパネル１０のサステイン電極に所定の信号電圧を供給し、アドレスドライバ回路ブロック２２はパネル１０のアドレス電極に所定の信号電圧を供給するもので、スキャンドライバ回路ブロック２０、サステインドライバ回路ブロック２１はシャーシ部材１４の幅方向の両端部にそれぞれ配置され、またアドレスドライバ回路ブロック２２はシャーシ部材１４の高さ方向の上端部および下端部に配置されている。
【００２０】
制御回路ブロック２３は、テレビジョンチューナ等の外部機器に接続するための接続ケーブルが着脱可能に接続される入力端子部を備えた入力信号回路ブロック２４から送られる映像信号に基づき、画像データをパネル１０の画素数に応じた画像データ信号に変換してアドレスドライバ回路ブロック２２に供給すると共に、放電制御タイミング信号を発生し、各々スキャンドライバ回路ブロック２０およびサステインドライバ回路ブロック２１に供給し、階調制御等の表示駆動制御を行うもので、シャーシ部材１４のほぼ中央部に配置されている。
【００２１】
電源ブロック２５は、前記各回路ブロックに電圧を供給するもので、前記制御回路ブロック２３と同様、シャーシ部材１４のほぼ中央部に配置され、電源ケーブル（図示せず）が装着されるコネクタ２６を有する電源入力ブロック２７を通して商用電源電圧が供給される。
【００２２】
ブラケット２８はスタンドポールに装着されるもので、シャーシ部材１４の高さ方向の下端部の位置に取り付けられている。据置用のスタンドに取り付けたスタンドポールの先端部をブラケット２８の孔に挿入し、ビス等によりスタンドポールをブラケット２８に固定することによりスタンドが取り付けられ、これによりパネルを立てた状態で保持されることとなる。
【００２３】
フレキシブル配線板２９は、パネル１０のスキャン電極、サステイン電極の電極引出部とスキャンドライバ回路ブロック２０、サステインドライバ回路ブロック２１のプリント配線板とを接続し、フレキシブル配線板３０はパネル１０のアドレス電極の電極引出部とアドレスドライバ回路ブロック２２のプリント配線板とを接続するもので、パネル１０の外周部を通して、前面側より背面側に１８０度湾曲させて引き回して配置している。
【００２４】
図５に制御回路ブロック２３とアドレスドライバ回路ブロック２２を接続した一例を示している。図において、アドレスドライバ回路ブロック２２は、プラズマディスプレイパネルのアドレス電極に映像信号に応じた所定の信号電圧を供給する複数個のアドレスドライバＩＣ３１により構成されており、そして制御回路ブロック２３とアドレスドライバＩＣ３１とをそれぞれ結ぶ複数の伝送経路３２は、フレキシブルプリント配線板により形成されている。すなわち、制御回路ブロック２３から出力される制御する信号は、フレキシブルプリント配線板の伝送経路３２を形成する配線パターンを介して複数個のアドレスドライバＩＣ３１にそれぞれ供給されている。
【００２５】
また、複数個のアドレスドライバＩＣ３１と制御回路ブロック２３とをそれぞれ結ぶ複数の伝送経路３２のトータル配線長それぞれをほぼ同じ配線長としている。さらに、すべての配線長をほぼ同じ配線長とする際、図に示すように伝送経路３２に蛇行形状パターン３３を用いることにより、不要輻射の低減を行うことができる。
【００２６】
以上の実施の形態で説明したように本発明においては、制御回路ブロック２３に対しすべてのアドレスドライバＩＣ３１への伝送経路３２をほぼ同じ配線長にすることで、少なくとも１つのアドレスドライバＩＣ３１を正常動作するように伝送経路設計を施すことにより、残りのすべてのアドレスドライバＩＣ３１を正常に動作することができる。
【産業上の利用可能性】
【００２７】
本発明によれば、アドレスドライバ回路ブロックに一般的に複数個用いられるアドレスドライバＩＣの少なくとも１つのアドレスドライバＩＣを正常に動作するように伝送経路を設計すれば、残りすべてのアドレスドライバＩＣを正常に動作させることが可能なプラズマディスプレイ装置を提供できる。
【図面の簡単な説明】
【００２８】
【図１】本発明の一実施の形態によるプラズマディスプレイ装置のパネルの概略構成を示す斜視図
【図２】同プラズマディスプレイ装置のパネルの電極配列を示す説明図
【図３】同プラズマディスプレイ装置の内部の配置構造を示す分解斜視図
【図４】同プラズマディスプレイ装置の内部の配置構造を示す平面図
【図５】同プラズマディスプレイ装置のアドレスドライバ回路ブロック及び制御回路ブロックを示す平面図
【符号の説明】
【００２９】
１０  パネル
２２  アドレスドライバ回路ブロック
２３  制御回路ブロック
３１  アドレスドライバＩＣ
３２  伝送経路
３３  蛇行形状パターン
【図１】
2005070600.tif 000003
【図２】
2005070600.tif 000004
【図３】
2005070600.tif 000005
【図４】
2005070600.tif 000006
【図５】
2005070600.tif 000007